(57)【要約】      （修正有）【課題】災害現場に持参する必要備品を収納する箱であって、災害現場で即座に収納箱から担架に変えることができ、災害時の地面の状態に関わらず救護者を安全に寝かすことができ、救護者の固定手段を備え、救護者を平坦な状態を保ちながら安定して搬送できるとともに、平常時はコンパクトな収納箱として保管が可能な担架兼用収納箱を提供する。【解決手段】少なくとも中空構造の硬質板材により構成され、且つ展開した状態において、手提げベルトがある右側面部から底面部、左側面部、上側面部、下側面部、内蓋部、外蓋部、外側面部までが連結しており、外側面部には少なくとも１つ以上の取手を設けることで担架となり、かつ当該面部の境界辺は屈曲部とされ、平常時は底面部から左側面部、右側面部、上側面部、下側面部、内蓋部の６面を囲むことで内部に収納空間を形成する。【選択図】図５
0003209180.tif 000002
【実用新案登録請求の範囲】
【請求項１】
少なくとも中空構造の硬質板材により構成され、且つ展開した状態において、手提げベルトがある右側面部から底面部、左側面部、上側面部、下側面部、内蓋部、外蓋部、外側面部までが連結しており、当該外側面部には少なくとも１つ以上の取手を設けることで担架となり、かつ
当該面部の境界辺は屈曲部とされ、右側面部から底面部、左側面部、上側面部、下側面部、内蓋部の６面を囲むことで内部に空間を形成することを特徴とする担架兼用収納箱。
【請求項２】
担架兼用収納箱の右側面部に、救護者の胸部を固定するための胸部固定ベルトを設け、そのベルトは収納箱の時に手提げベルトとして兼用になることを特徴とする請求項１に記載の担架兼用収納箱。
【請求項３】
担架兼用収納箱の内蓋部に、救護者の脚部を固定するための脚部固定ベルトを設けたことを特徴とする請求項１から２のいずれかに記載の担架兼用収納箱。
【請求項４】
担架兼用収納箱の外側面部に設けた搬送者用取手に、折り返し面部を設けたことを特徴とする請求項１から３のいずれかに記載の担架兼用収納箱。
【請求項５】
担架兼用収納箱の右側面部から底面部、左側面部、内蓋部、外蓋部の５面に、人を搬送するときに載置面の変形を規制するための屈曲部２１、２２を設けたことを特徴とする請求項１から４のいずれかに記載の担架兼用収納箱。
【考案の詳細な説明】
【考案の詳細な説明】
【技術分野】
【０００１】  本考案は、災害現場に持参する必要備品を収納する箱に関しており、さらに、その場で救助活動が必要な場合に、即座に担架に変形する担架兼用収納箱に関する技術である。
【背景技術】
【０００２】  地震や台風等の大規模災害が起きた震災直後は、行政・警察・消防は様々な活動を行うため、各地域の避難の初期活動をするのは困難である。このため各地域での初期消火や救出救護活動、避難誘導などは防災市民組織（町会・自治会）が行っている。【０００３】  防災市民組織や一般市民用の救助用品や非常食などの備蓄品をまとめて収納する鞄は、市販されよく知られている。【０００４】  また、従来、救出救護活動には担架を用いるが、担架としては、２本の長い支柱の間に布地を貼り付けたものや支柱が折り畳み式のもの（例えば、特許文献１参照）、簡易的な取手付の布等のシート製のもの（例えば、特許文献２参照）が知られている。【０００５】  また、下記する特許文献３は、消防団員が現場に持参する必要備品を収納する鞄であり、かつ、鞄を展開し消防車に備え付けの２本のトビをその鞄のループに通すことで担架として使用するものである。【０００６】  しかし、上記特許文献１は、一般的な担架の保管スペースを取ってしまう欠点に対して、支柱パイプを折り畳むことで解消しているが、屈曲部の強度を持たせるために、複雑な部材を使っているため組立の容易性に欠け、かつ組立時間が多くかかってしまう欠点があった。【０００７】  また、上記特許文献２は、シート製の簡易担架のため、軽くて組立容易であるが、救出活動する際は災害により地面が濡れていたり、瓦礫が散乱している状態のため、救護者を安全に寝かせるのは困難であった。【０００８】  さらに、上記特許文献３は、備品を収納できる空間を設けているが、担架として使用する際は消防車に備え付けの２本のトビを使用しないと担架として使用することができないものである。
【先行技術文献】
【特許文献】
【０００９】
【特許文献１】特許第５９０１１８７号
【特許文献２】特開２００９−４８４号特許公報
【特許文献３】特開２００６−１２９９４０号特許公報
【考案の概要】
【考案が解決しようとする課題】
【００１０】  災害現場に持参する必要備品を収納する箱であって、且つ災害現場で即座に収納箱から担架に変えることができるものである。更に災害時に地面の状態に関わらず救護者を安全に寝かすことができ、且つ救護者の固定手段を備え、救護者を平坦な状態を保ちながら安定して搬送でき、更に平常時はコンパクトな収納箱にして保管ができることを目的としている。
【課題を解決するための手段】
【００１１】  本考案の担架兼用収納箱は、少なくとも中空構造の硬質板材により構成され、且つ展開した状態において、手提げベルトがある右側面部から底面部、左側面部、上側面部、下側面部、内蓋部、外蓋部、外側面部までが連結しており、当該外側面部には少なくとも１つ以上の取手を設けることで担架となり、且つ当該面部の境界辺は屈曲部とされ、右側面部から底面部、左側面部、上側面部、下側面部、内蓋部の６面を囲むことで内部に空間を形成したものである。【００１２】  本考案の担架兼用収納箱は、上記担架兼用収納箱の構成に加え、右側面部に救護者の胸部を固定するための胸部固定ベルトを設けたものであり、そのベルトは収納箱の時に手提げベルトとして兼用になるものである。【００１３】  本考案の担架兼用収納箱は、上記担架兼用収納箱の構成に加え、内蓋部に救護者の脚部を固定するための脚部固定ベルトを設けたものである。【００１４】  本考案の担架兼用収納箱は、上記担架兼用収納箱の構成に加え、当該外側面部に少なくとも１つ以上設けた取手に、持ち手を保護する折り返し面部を設けたものである。【００１５】  本考案の担架兼用収納箱は、上記担架兼用収納箱の構成に加え、当該右側面部から、底面部、左側面部、内蓋部、外蓋部の５面に、人を搬送するときに載置面の変形を規制するための屈曲部２１、２２を設けたものである。
【考案の効果】
【００１６】  本考案の担架兼用収納箱は、災害現場に持参する必要備品をまとめて収納でき、平常時はコンパクトなサイズで保管することが可能となった。【００１７】  災害時は、担架兼用収納箱の手提げベルトを肩に掛けることで、災害現場まで必要備品を運ぶことが可能となった。【００１８】  さらに、その場で救出救護活動が必要な場合に、担架兼用収納箱の上記面部全てが即座に展開することで、地面の状態に関わらず救護者を安全に寝かすことができ、救護者を担架として搬送することが可能になった。【００１９】  また、上記胸部固定ベルトと、上記脚部固定ベルトを設けることで、胸部と脚部を固定して救護者を搬送することが可能となった。【００２０】  中空構造の硬質板材１枚で構成していることで、非常に強い引張強度を持ちながら、製品重量を非常に軽くすることが可能となった。
【図面の簡単な説明】
【００２１】
【図１】担架兼用収納箱の斜視図である。
【図２】担架兼用収納箱を展開して担架に変形した斜視図である。
【図３】担架兼用収納箱を展開した固定ベルトなしの平面図である。
【図４】担架兼用収納箱を展開した固定ベルト付きの平面図である。
【図５】担架兼用収納箱から担架に変形する手順を示す図である。
【図６】担架兼用収納箱の取手部の断面図である。
【図７】中空構造の硬質板材の断面図である。
【考案を実施するための形態】
【００２２】  以下、本考案の実施の形態を添付した図面により詳細に説明する。
図１〜図７は、本考案の実施の形態に係る図面であり、図１は用途を災害現場に持参する必要備品をまとめて収納する収納箱にしたときの斜視図、図２は用途を担架としたときの斜視図、図３は図２の固定ベルトなしの平面図、図４は図２の固定ベルト付きの平面図、図５は収納箱から担架に変形する手順を示す図面、図６は用途を担架としたときの取手部の断面図、図７は中空構造の硬質板材の断面図の例である。
【００２３】  担架兼用収納箱１３は、平常時には図１に示すように災害現場に持参する必要備品をまとめて収納する収納箱として使用し、災害時には図２に示すように担架として使用するものである。
【００２４】図１において、収納箱は横幅が５００ｍｍ〜９００ｍｍ、奥行が１００ｍｍ〜３００ｍｍ、高さが４００ｍｍ〜８００ｍｍの範囲寸法が備品を収納する観点から好ましいが、保管の際に省スペースな収納箱として好ましいのが、横幅が５５０ｍｍ〜５７０ｍｍ、奥行が１４０ｍｍ〜１６０ｍｍ、高さが４８０ｍｍ〜５００ｍｍである。なお、各図は、幅が５６０ｍｍ、奥行が１５０ｍｍ、高さが４９０ｍｍの寸法の担架兼用収納箱１３を示したものである。
【００２５】  担架兼用収納箱１３は、図２の担架として使用する時は、横幅が１５００ｍｍ〜２１００ｍｍ、奥行が６００ｍｍ〜１１００ｍｍ、高さが１ｍｍ〜２０ｍｍの範囲寸法が救護者を寝かして搬送する観点から好ましいが、省スペースの収納箱を兼用した、救護者を安全に寝かせる担架として好ましいのが、横幅が１７００ｍｍ〜１８００ｍｍ、奥行が７００ｍｍ〜８００ｍｍ、高さが３〜８ｍｍとなる。なお、各図は、幅が１７４６ｍｍ、奥行が７８８ｍｍ、高さが５ｍｍの寸法の担架兼用収納箱１３を示したものである。
【００２６】  担架兼用収納箱１３は、例えば、図７のポリプロピレン製中空構造の硬質板材を用いている。展開して内側面を平面視したしたときに、図４の屈曲辺１６、１７、１８、１９に折り曲げ加工を施すことで、当該辺１６、１７、１８、１９の屈曲部が谷折れ可能となり、図４の２０（図３のｉ、ｉｖ、ｖｉｉ、ｘ、ｘｉｉｉ）、２１、２２、２３（図３のｉｉｉ、ｖｉ、ｉｘ、ｘｉｉ、ｘｉｖ）に折り曲げ加工を施すことで、当該辺２０、２１、２２、２３の屈曲部が谷折れ可能となる。なお、図４の屈曲辺２０は、図３のｉ、ｉｖ、ｖｉｉ、ｘ、ｘｉｉｉまでの辺を、屈曲辺２３は、図３のｉｉｉ、ｖｉ、ｉｘ、ｘｉｉ、ｘｉｖをまとめて略式した辺である。
【００２７】  図３の外側面部Ｈ、Ｉ、Ｊ、Ｋに各々少なくとも１つ以上の取手を設けることで担架になるが、例えば、最大６人まで搬送者を増やす場合は、上側面部Ｄ、下側面部Ｅ、外側面部Ｈ、Ｉ、Ｊ、Ｋの６面部に、取手を各２箇所設けることで可能になる。なお、上記中空構造の硬質板材は、例えばハニカム構造など、その他の中空構造でもかまわない。
【００２８】  胸部固定ベルト１４は、救護者の胸部を固定することが可能で、かつ図１の収納箱の手提げベルトとして兼用することが出来る。脚部固定ベルト１５は、救護者の脚部を固定することが出来る。
【００２９】  図４の胸部固定ベルト１４と脚部固定ベルト１５は、オスメス一体型マジックテープ（（株）クラレの登録商標）を用いることで、簡単にベルトの着脱ができ、救護者を簡単にしかもしっかりと固定することが可能となる。
【００３０】  上記取手は、図６の折り返し面部を設けることで搬送者の手を保護することが可能となる。
【００３１】  図４において、担架として人を搬送する際、少なくとも、屈曲部２１、２２の２本を設けることで載置面の変形を規制することが可能となる。
【００３２】  図４の屈曲辺２０（ｉ、ｉｖ、ｖｉｉ、ｘ、ｘｉｉｉ）と２３（ｉｉｉ、ｖｉ、ｉｘ、ｘｉｉ、ｘｉｖ）に段差を設けて、右側面部Ａから底面部Ｂ、左側面部Ｃ、上側面部Ｄ、下側面部Ｅ、内蓋部Ｆ、外蓋部Ｇまでを折り畳むことで、内部に空間を形成する収納箱となる。
【００３３】  図３の上側面部Ｄにマジックテープ（メス）を外側面部ＬとＭに取り付けたマジックテープ（オス）とが、対になるように貼り付けることで、上側面部Ｄと外側面部Ｌ、Ｍが接着することが可能となる。
【００３４】  図３の下側面部Ｅにマジックテープ（メス）を外側面部ＮとＯに取り付けたマジックテープ（オス）とが、対になるように貼り付けることで、上側面部Ｅと外側面部Ｎ、Ｏが接着することが可能となる。
【００３５】  図３の上側面部Ｄにマジックテープ（オス）を外側面部Ｈに取り付けたマジックテープ（メス）とが、対になるように貼り付けることで、上側面部Ｄと外側面部Ｈが接着することが可能となる。
【００３６】  図３の下側面部Ｅにマジックテープ（オス）を外側面部Ｉに取り付けたマジックテープ（メス）とが、対になるように貼り付けることで、上側面部Ｅと外側面部Ｉが接着することが可能となる。
【００３７】  つぎに、本実施例の担架兼用収納箱１３を、災害現場の救急担架として使用する手順を、図５に基づいて説明する。
まず図５（ａ）では、外蓋部Ｇが上になるように収納箱を横に寝かせる。図５（ｂ）で外側面部Ｈを上側面部Ｄから、外側面部Ｉを下側面部Ｅから外し、外蓋部Ｇを開ける。
【００３８】  つぎに、図５（ｃ）で内蓋部Ｆを開け、図５（ｄ）で外側面部ＬとＭから上側面部Ｄを、外側面部ＮとＯから下側面部Ｅを広げると、図５（ｅ）のように全ての面部を展開して変形が完成する。
【符号の説明】
【００３９】１〜１２    取手
１３        担架兼用収納箱
１４        胸部固定ベルト兼手提げベルト
１５        脚部固定ベルト
１６〜２３  屈曲辺
Ａ          右側面部
Ｂ          底面部
Ｃ          左側面部
Ｄ          上側面部
Ｅ          下側面部
Ｆ          内蓋部
Ｇ          外蓋部
Ｈ〜Ｏ      外側面部
ｉ〜ｘｉｖ  境界辺
【図１】
0003209180.tif 000003
【図２】
0003209180.tif 000004
【図３】
0003209180.tif 000005
【図４】
0003209180.tif 000006
【図５】
0003209180.tif 000007
【図６】
0003209180.tif 000008
【図７】
0003209180.tif 000009